(57)【要約】【課題】着脱可能なカードデバイスに流れる電流が過電流となった場合に、迅速な復帰を実現可能な電源管理装置および電子機器を提供する。【解決手段】ＵＳＢホストコントローラ４１とカードコントローラ２２との間を、ホットプラグ機能を有するバス（ＵＳＢ４０）で接続する。電源管理部２３が、カードスロット２１に装着されたカードデバイス３に流れるカード電流Ｉｃを監視し、過電流であるか否かを判断する。過電流であると判断した場合には、電源管理部２３が、カードデバイス３に供給される電源に加え、カードコントローラ２２に供給される電源も遮断する（制御電源２０Ｂの供給を遮断する）。電源供給が遮断されたカードデバイス３に対する、カードコントローラ２２のアクセス動作を回避することができる。復帰の際に、ＵＳＢホストコントローラ４１を含むＴＶ装置全体の電源を遮断する必要がなくなる。【選択図】図１
2007094963.tif 000002
【特許請求の範囲】
【請求項１】
着脱可能なカードデバイスの装着口と、この装着口に前記カードデバイスが装着されているときにカードデバイスとの間でデータのやり取りを行うカードコントローラと、このカードコントローラを制御する制御部とを含む電子機器に対して適用される電源管理装置であって、
前記カードデバイスに流れるカード電流を監視する監視手段と、
監視されているカード電流が過電流であるか否かを判断する判断手段と、
前記カード電流が過電流であると判断されたときに、前記カードデバイスおよび前記カードコントローラに供給される電源を遮断する遮断手段と
を備え、
前記制御部と前記カードコントローラとの間が、ホットプラグ機能を有するバスで接続されている
ことを特徴とする電源管理装置。
【請求項２】
前記遮断手段によって電源が遮断された後に、前記判断手段によって前記カード電流の過電流状態が解消されたと判断された場合、前記カードデバイスおよびカードコントローラに対する電源供給を再開してこれらの動作を復帰させる復帰手段をさらに備えた
ことを特徴とする請求項１に記載の電源管理装置。
【請求項３】
着脱可能なカードデバイスの装着口と、
前記装着口に前記カードデバイスが装着されているときに、このカードデバイスとの間でデータのやり取りを行うカードコントローラと、
前記カードコントローラを制御する制御部と、
前記カードデバイスに流れるカード電流を監視する監視手段と、
監視されているカード電流が過電流であるか否かを判断する判断手段と、
前記カード電流が過電流であると判断されたときに、前記カードデバイスおよび前記カードコントローラに供給される電源を遮断する遮断手段と
を備え、
前記制御部と前記カードコントローラとの間が、ホットプラグ機能を有するバスで接続されている
ことを特徴とする電子機器。
【発明の詳細な説明】
【技術分野】
【０００１】
本発明は、着脱可能なカードデバイスへ供給される電源を管理する電源管理装置、およびこのような電源管理装置を含む電子機器に関する。
【背景技術】
【０００２】
近年、例えばパーソナルコンピュータ（ＰＣ；Personal Computer）やＴＶ（TeleVision）装置などの電子機器には、例えばカード状の磁気記憶デバイスや光記憶デバイス、半導体記録デバイスなどのカードデバイスを着脱可能なカードスロットが設けられ、例えば、このカードデバイス内に記録されているデータを電子機器本体で読み出すことができるようになっている。
【０００３】
このような着脱可能なカードデバイスでは、デバイス内での短絡等により、過電流状態となることがある。そこで、このような過電流によって電子機器本体が破壊されるのを防ぐため、例えば特許文献１，２には、カードデバイスへ流れる電流が過電流となった場合に、カードスロットに対する電源供給を遮断するようにした技術が開示されている。
【０００４】
【特許文献１】特開平８−１８５２４８号公報
【特許文献２】特開平１０−８３２３５号公報
【発明の開示】
【発明が解決しようとする課題】
【０００５】
ところで、上記特許文献１，２等の従来の技術では、カードデバイスとの間でデータのやり取りを行うカードコントローラと、このカードコントローラに対して指令を発するＣＰＵ（Central Processing Unit）との間は、いわゆるローカルバスで接続されるようになっている。この場合の電子機器の構成の仮想例として、例えば図５のような構成が考えられる。図５は、この仮想例に係る電子機器のうち、カードデバイス１０３に対する動作制御を行うユニット１０２と、このユニット１０２に対して指令を発するＣＰＵ１０５とを抜き出して表したものであり、上記のように、ＣＰＵ１０５と、ユニット１０２内のカードコントローラ１２２との間は、ローカルバス１４０で接続されている。この仮想例では、ＣＰＵ１０５の指示に従って、電源管理部１２３がカードスロット１２１を介してカードデバイス１０３に流れる電流（カード電流）を監視しており、カード電流が過電流となった場合には、ＣＰＵ１０５が電源管理部１２３を介してカードデバイス１０３へ供給される電源１２０Ｂを遮断し、過電流状態を回避するようになっている。なお、この場合も上記のように、ＣＰＵ１０５とカードコントローラ１２２との間はローカルバスで接続されているため、カードコントローラ１２２への電源供給（電源１２０Ａの供給）は、継続される。
【０００６】
ところが、このような構成では、いったんカードデバイス１０３が過電流状態となると、カードデバイス１０３への電源供給（電源１２０Ｂの供給）が遮断されてしまうので、カードコントローラ１２２は、カードデバイス１０３に対してアクセスすることができなくなり、たとえその後正常なカードデバイスと取り替えたとしても、正常なアクセス動作ができなくなってしまう。よって、電子機器全体の電源をいったん遮断してリセット動作を行わなければならず、過電流状態からの復帰時の処理が非常に煩雑になってしまうことから、この仮想例の構成では、迅速に復帰するのが困難である。
【０００７】
本発明はかかる問題点に鑑みてなされたもので、その目的は、着脱可能なカードデバイスに流れる電流が過電流となった場合に、迅速な復帰を実現可能な電源管理装置および電子機器を提供することにある。
【課題を解決するための手段】
【０００８】
本発明の電源管理装置は、着脱可能なカードデバイスの装着口と、この装着口にカードデバイスが装着されているときにカードデバイスとの間でデータのやり取りを行うカードコントローラと、このカードコントローラを制御する制御部とを含む電子機器に対して適用されるものであって、上記カードデバイスに流れるカード電流を監視する監視手段と、監視されているカード電流が過電流であるか否かを判断する判断手段と、上記カード電流が過電流であると判断されたときに、カードデバイスおよびカードコントローラに供給される電源を遮断する遮断手段とを備え、制御部とカードコントローラとの間を、ホットプラグ機能を有するバスで接続するようにしたものである。
【０００９】
ここで、「ホットプラグ機能を有するバス」とは、そのバスが接続されている部位同士を、それらの電源がオン状態のままで、接続および遮断をすることを可能とする機能を意味し、例えばＵＳＢ（Universal Serial Bus）などのバスが有している機能である。
【００１０】
本発明の電子機器は、着脱可能なカードデバイスの装着口と、この装着口にカードデバイスが装着されているときに、このカードデバイスとの間でデータのやり取りを行うカードコントローラと、このカードコントローラを制御する制御部と、上記カードデバイスに流れるカード電流を監視する監視手段と、監視されているカード電流が過電流であるか否かを判断する判断手段と、上記カード電流が過電流であると判断されたときに、カードデバイスおよびカードコントローラに供給される電源を遮断する遮断手段とを備え、制御部とカードコントローラとの間を、ホットプラグ機能を有するバスで接続するようにしたものである。
【００１１】
本発明の電源管理装置および電子機器では、監視手段によって、装着口に装着されたカードデバイスに流れるカード電流が監視され、判断手段によって、このカード電流が過電流であるか否かが判断される。ここで、カード電流が過電流であると判断されると、カードデバイスに供給される電源に加え、カードコントローラに供給される電源もが、遮断される。したがって、電源供給が遮断されたカードデバイスに対する、カードコントローラのアクセス動作が回避される。また、制御部とカードコントローラとの間がホットプラグ機能を有するバスで接続されているため、カードコントローラへの電源供給が遮断されても、制御部との接続において問題は生じない。また、カードコントローラへ供給される電源を遮断せずにソフトウエア処理による異常処理を追加することで正常動作に復帰することも可能ではあるが、過電流時にはカードデバイスおよびカードコントローラへ供給される電源を遮断することで上記ホットプラグ機能を有するバスの接続をいったん遮断し、過電流で無くなった後で再度電源を投入してこのバスの接続を復帰させることにより、通常の電源投入時のソフトウエア処理だけで正常動作に復帰することが可能となり、上記異常処理をソフトウエア処理として追加する必要がなくなる。
【発明の効果】
【００１２】
本発明の電源管理装置または電子機器によれば、制御部とカードコントローラとの間をホットプラグ機能を有するバスで接続すると共に、装着口に装着されたカードデバイスに流れるカード電流を監視して過電流であるか否かを判断し、過電流であると判断した場合には、カードデバイスに供給される電源に加え、カードコントローラに供給される電源も遮断するようにしたので、電源供給が遮断されたカードデバイスに対するカードコントローラのアクセス動作を回避することができ、復帰の際に、制御部を含む電子機器全体の電源を遮断する必要もなくなることから、着脱可能なカードデバイスに流れる電流が過電流となった場合に、迅速な復帰を実現することができる。
【発明を実施するための最良の形態】
【００１３】
以下、本発明の実施の形態について、図面を参照して詳細に説明する。
【００１４】
図１は、本発明の一実施の形態に係る電子機器（ＴＶ装置）の全体構成を表すものである。このＴＶ装置は、アンテナ１１と、チューナ１２と、ＭＰＥＧ（Moving Picture Experts Group）デコーダ１３と、カードデバイスユニット２と、ＵＳＢホストコントローラ４１と、映像処理部６１と、ミキサ６２と、スケーラ６３と、ＬＣＤ（Liquid Crystal Display）ドライバ６４と、ＬＣＤ７とを備えており、デジタル放送用のものである。なお、この図１は、ＴＶ装置の構成のうち、主に映像系（video系）の構成を表したものであり、音声系（audio系）の構成については、以下説明を省略する。また、本発明の一実施の形態に係る電源管理装置は、本実施の形態に係る電子機器によって具現化されるので、以下、併せて説明する。
【００１５】
アンテナ１１は、テレビ信号を受信するものである。また、チューナ１２は、このアンテナ１１からのテレビ信号を入力し、ＭＰＥＧ信号として出力するものである。
【００１６】
ＭＰＥＧデコーダ１３は、チューナ１２と接続すると共に、ＵＳＢホストコントローラ４１、ＣＰＵ５および映像処理部６１と、互いにバス６０を介して接続している。ＭＰＥＧデコーダ１３はこのような構成により、チューナ１１からのＭＰＥＧデータ信号、またはＵＳＢホストコントローラ４１やＣＰＵ５からのＭＰＥＧデータ信号を、それぞれ復号化して出力するものである。
【００１７】
ビデオデコーダ１４は、ＭＰＥＧデコーダ１３によって復号化された信号、または外部入力映像信号に対して、所定の画質調整を行うと共に、輝度信号Ｙと色差信号Ｕ，ＶとからなるＹＵＶ信号として出力するものである。このようにして得られたＹＵＶ信号は、後述するミキサ６２へ出力される。
【００１８】
なお、このＹＵＶ信号は、２次元デジタル画像の画像データであり、画像上の位置に対応する画素値の集合である。そのうち、輝度信号Ｙは輝度レベルを表現し、白１００％である白レベルと、黒１００％である黒レベルとの間の振幅値をとるようになっている。また、画像信号の白１００％は、ＩＲＥ（Institute of Radio Engineers）という画像信号の相対的な比を表す単位において、１００（ＩＲＥ）と定められている。日本のＮＴＳＣ（National Television Standards Committee）信号の規格では、白レベルが１００ＩＲＥ，黒レベルが０ＩＲＥである。一方、色差信号Ｕ，Ｖはそれぞれ、青（Ｂ；Blue）から輝度信号Ｙを引いた信号Ｂ−Ｙ、赤（Ｒ；Red）から輝度信号Ｙを引いた信号Ｒ−Ｙに対応しており、これらＵ信号，Ｖ信号を輝度信号Ｙと組み合わせることによって、色（色相，彩度，輝度）が表現されるようになっている。
【００１９】
カードデバイスユニット２は、着脱可能なカード状のカードデバイス３と、このカードデバイス３を除くＴＶ装置本体との間の接続およびデータのやり取りを行っている部分であり、カードスロット２１と、カードコントローラ２２と、電源管理部２３とを有している。なお、このカードデバイス３としては、例えば、磁気記憶デバイスや光記憶デバイス、半導体記録デバイスなどが挙げられる。
【００２０】
カードスロット２１は、カードデバイス３をＴＶ装置に装着するための装着口であり、例えば図中の矢印Ｐ１で示したように、カードデバイス３を着脱できるようになっている。
【００２１】
カードコントローラ２２は、ＣＰＵ５からの指示に従って、カードスロット２１に装着されたカードデバイス３との間でデータのやり取りを行うものである。具体的には、このカードコントローラ２２は、カードデバイス３に記録されているデータの読み取り制御を行い、読み出したデータを、ＵＳＢ４０を介してＵＳＢホストコントローラ４１へ出力するようになっている。
【００２２】
ここで、本実施の形態のＴＶ装置では、このカードコントローラ２２とＵＳＢホストコントローラ４１との間が、ホットプラグ機能を有するバスであるＵＳＢ４０で接続されており、ＣＰＵ５やＵＳＢホストコントローラ４１の電源がオン状態のまま、カードコントローラ２２を遮断または接続できるようになっている。
【００２３】
電源管理部２３は、カードデバイスユニット２内の電源供給を管理するものであり、この電源管理部２３へ供給される電源２０Ａを制御し、制御電源２０Ｂとして、カードスロット２１およびカードコントローラ２２へ供給する機能を有している。
【００２４】
具体的には、この電源管理部２３は、カードスロット２１に装着されたカードデバイス３に流れる電流（後述するカード電流Ｉｃ）を監視すると共に、カード電流Ｉｃが所定の電流値よりも大きいか否か（過電流であるか否か）を判断し、過電流であると判断した場合には、カードスロット２１およびカードコントローラ２２への電源供給を遮断する（制御電源２０Ｂの供給を遮断する）機能を有している。このようにして、詳細は後述するが、カード電流Ｉｃが過電流となったときには、カードスロット２１およびカードコントローラ２２への電源供給が遮断され、これらの動作（例えば、カードデバイス３に対するカードコントローラ２２のアクセス動作）が停止するようになっている。
【００２５】
ＵＳＢホストコントローラ４１は、カードコントローラ２２を介して得られたカードデバイス３からの読み出しデータを、バス６０を介してＭＰＥＧデコーダ１３またはＣＰＵ５へ出力するものである。具体的には、このカードデバイス３からの読み出しデータのうち、動画像データ（例えば、この場合はＭＰＥＧデータ信号）については、ＣＰＵ５を経由してＭＰＥＧデコーダ１３へ出力し、静止画像データ（例えば、ＪＰＥＧ（Joint Photographic Coding Experts Group）データ信号）については、ＣＰＵ５へ出力するようになっている。
【００２６】
ＣＰＵ５は、このＴＶ装置全体の動作を制御する部分であり、具体的には、例えば前述のように、カードコントローラ２２に対して、カードスロット２１に装着されたカードデバイス３のデータ読み取り制御指令を発したり、バス６０を介して、ＭＰＥＧデコーダ１３やＵＳＢホストコントローラ４１、映像処理部６１の動作を制御するようになっている。ＣＰＵ５はまた、所定の演算処理も行うようになっており、例えば、バス６０を介してＵＳＢホストコントローラ４１から供給されるＪＰＥＧデータ信号の復号化処理などが挙げられる。
【００２７】
映像処理部６１は、ＣＰＵ５からの指示に従って所定の映像処理を行うものであり、例えば、ＯＳＤ（On Screen Display）表示用の映像処理などが挙げられる。
【００２８】
ミキサ６２は、ビデオデコーダ１４から出力される映像表示用のＹＵＶ信号と、映像処理部６１から出力される、例えばＯＳＤ表示用の信号とを重ね合わせて出力するものである。また、スケーラ６３は、このようにして重ね合わされた映像信号に対して、表示されるＬＣＤ７の解像度に合わせた画素数変換を施し、ＬＣＤドライバ６４へ出力するものである。
【００２９】
ＬＣＤドライバ６４は、スケーラ６３から出力される映像信号に基づいて、ＬＣＤ７に対する駆動信号を生成し、この駆動信号をＬＣＤ７へ出力するものである。また、ＬＣＤ７は、ＬＣＤドライバ６４から出力される駆動信号に従って画像表示を行うディスプレイである。
【００３０】
ここで、電源管理部２３は、本発明における「電源管理装置」の一具体例に対応する。また、カードスロット２１は本発明における「装着口」の一具体例に対応し、ＵＳＢホストコントローラ４１は本発明における「制御部」の一具体例に対応する。また、ＵＳＢ４０は本発明における「ホットプラグ機能を有するバス」の一具体例に対応する。
【００３１】
次に、以上のような構成のＴＶ装置の動作について説明する。まず、図１を参照して、このＴＶ装置の基本動作について説明する。
【００３２】
まず、アンテナ１１で受信したテレビ信号は、チューナ１２によってＭＰＥＧデータ信号として出力され、ＭＰＥＧデコーダ１３によって符号化されて、ビデオデコーダ１３へ入力する。一方、外部入力映像信号は、直接、ビデオデコーダ１３へ入力する。そしてビデオデコーダ１４では、これらの映像信号に対して所定の画質調整を行い、ＹＵＶ信号としてミキサ６２へ出力される。
【００３３】
また、カードデバイス３がカードスロット２１に装着されると、電源管理部２３によって、カードスロット２１およびカードコントローラへ制御電源２０Ｂが供給される。この状態で、ＣＰＵ５からの指示に従って、カードデバイス３に記憶されているデータは、カードスロット２１を介してカードコントローラ２２によって読み出され、ＵＳＢ４０を介してＵＳＢホストコントローラ４１へ入力する。
【００３４】
ＵＳＢホストコントローラ４１では、このカードデバイス３からの読み出しデータのうち、動画像データ（ここでは、ＭＰＥＧデータ信号）は、バス６０を介してＣＰＵ５へ出力された後、ＣＰＵ５からＭＰＥＧデコーダ１３へ転送される。そしてこのＭＰＥＧデータ信号は復号化され、アンテナ１１によって受信されたテレビ信号と同様に、ビデオデコーダ１４によって所定の画質調整がなされ、ＹＵＶ信号としてミキサ６２へ出力される。一方、カードデバイス３からの読み出しデータのうち、静止画像データ（例えば、ＪＰＥＧデータ信号）は、バス６０を介してＣＰＵ５へ出力される。そしてＣＰＵ５によって、例えばこのＪＰＥＧデータ信号は復号化され、バス６０およびＭＰＥＧデコーダ１３を介してビデオデコーダ１４へ入力し、やはりビデオデコーダ１４によって所定の画質調整がなされ、ＹＵＶ信号としてミキサ６２へ出力される。
【００３５】
次いで、ミキサ６２では、このようにして入力された映像信号と、映像処理部６１から出力されるＯＳＤ表示用等の信号とが重ね合わされる。そしてスケーラ６３では、このようにして重ね合わされた映像信号に対して、所定の画素数変換が施され、ＬＣＤドライバ６４へ出力される。
【００３６】
最後に、ＬＣＤドライバ６４では、スケーラ６３から出力される映像信号に基づいて駆動信号が生成され、ＬＣＤ７では、この駆動信号に従って画像が表示される。このようにして、アンテナ１１で受信したテレビ信号や、外部入力映像信号、カードデバイス３からの読み出しデータが、動画像や静止画像として、ＴＶ装置のＬＣＤ７に表示される。
【００３７】
次に、図２〜図５を参照して、本発明の主な特徴的部分である、電源管理部２３による電源管理動作について、詳細に説明する。ここで、図２は、この電源管理動作を流れ図で表したものである。また、図３および図４はそれぞれ、このような電源管理動作時のＴＶ装置の状態を表しており、図１に示したＴＶ装置の全体構成のうち、ＵＳＢホストコントローラ４１およびカードデバイスユニット２を抜き出して示している。また、図５は、前述のように仮想例に係るＴＶ装置の構成を表したものであり、ここでは、本実施の形態に係る電源管理動作に対する比較例として挙げている。
【００３８】
まず、図３に示したように、電源管理部２３は、カードデバイス３がカードスロット２１に装着されると、前述のように電源管理部２３は、カードスロット２１およびカードコントローラに対して、制御電源２０Ｂを供給する。また、この状態で電源管理部２３は、カードデバイス３に流れる電流（カード電流Ｉｃ）を絶えず監視し、このカード電流Ｉｃが所定の電流値よりも大きいか否か（過電流であるか否か）を判断する（図２のステップＳ１０１）。過電流ではないと判断した場合には（ステップＳ１０１：Ｎ）、再びステップＳ１０１へ戻り、このような判断動作を繰り返す。
【００３９】
一方、ステップＳ１０１において、カード電流Ｉｃが過電流であると判断した場合には（ステップＳ１０１：Ｙ）、図４に示したように、電源管理部２３は、カードスロット２１（カードデバイス３）およびカードコントローラ２２への電源供給を遮断（制御電源２０Ｂの供給を遮断）する（ステップＳ１０２）。
【００４０】
すると、カードスロット２１（カードデバイス３）およびカードコントローラ２２の動作が停止するので、カードデバイス３に対するカードコントローラ２２のアクセス動作も停止する。したがって、電源供給が遮断されたカードデバイス３に対するカードコントローラ２２のアクセス動作が回避されることから、例えば正常ではないアクセス動作等に起因した、カードコントローラ２２の動作停止（フリーズ）も回避される。また、このカードコントローラ２２とＵＳＢホストコントローラ４１との間が、ホットプラグ機能を有するバスであるＵＳＢ４０で接続されているので、ＣＰＵ５やＵＳＢホストコントローラ４１の電源がオン状態のまま、カードコントローラ２２の動作を停止させてこれらの間の接続を遮断しても、問題は生じない。よって、このような過電流状態から復帰する際に、ＵＳＢホストコントローラ４１を含むＴＶ装置全体の電源を遮断する必要はなく、ＴＶ装置全体のリセット動作なども不要となる。
【００４１】
これに対して図５に示した比較例では、カードデバイス１０３が過電流状態になると、カードデバイス１０３への電源供給（電源１２０Ｂの供給）のみが遮断され、カードコントローラ１２２への電源供給（電源１２０Ａの供給）は継続される。すると、電源供給が遮断されたカードデバイス１０３に対するカードコントローラ１２２のアクセス動作がなされることから、上記のように正常ではないアクセス動作等に起因したカードコントローラ１２２の動作停止（フリーズ）が生じてしまう。したがって、カードコントローラ１２２は、カードデバイス１０３に対してアクセスすることができなくなり、たとえその後正常なカードデバイスと取り替えたとしても、正常なアクセス動作ができなくなってしまう。また、ＣＰＵ１０５とカードコントローラ１２２との間が、ホットプラグ機能を有しないローカルバス１４０で接続されているので、ＣＰＵ１０５の電源がオン状態のまま、カードコントローラ１２２の動作を停止させてこれらの間の接続を遮断することもできない。よって、図５に示した比較例では、過電流状態から復帰する際に、ＣＰＵ１０５を含むＴＶ装置全体の電源を遮断してＴＶ装置全体のリセット動作を行わなければならず、復帰時の動作が非常に煩雑となる。
【００４２】
次いで、電源管理部２３は、このような電源供給の遮断処理を行った後もカード電流Ｉｃを絶えず監視し、カード電流Ｉｃの過電流が解消したか否か（所定の電流値よりも小さくなったか否か）を判断する（ステップＳ１０３）。過電流が解消していないと判断した場合には（ステップＳ１０３：Ｎ）、再びステップＳ１０３へ戻り、このような判断動作を繰り返す。
【００４３】
一方、ステップＳ１０３において、カード電流Ｉｃの過電流が解消したと判断した場合には（ステップＳ１０３：Ｙ）、電源管理部２３は、カードスロット２１（カードデバイス３）およびカードコントローラ２２への電源供給を再開（制御電源２０Ｂの供給を再開）し、カードスロット２１（カードデバイス３）およびカードコントローラ２２の動作を復帰させる（ステップＳ１０４）。この場合も、カードコントローラ２２とＵＳＢホストコントローラ４１との間がＵＳＢ４０で接続されているので、ＣＰＵ５やＵＳＢホストコントローラ４１の電源がオン状態のまま、カードコントローラ２２の動作を再開させてこれらの間を接続させても、問題は生じない。このようにして、元の図３の状態に戻ることとなり、一連の電源管理動作が終了する。
【００４４】
以上のように、本実施の形態では、ＵＳＢホストコントローラ４１とカードコントローラ２２との間をホットプラグ機能を有するバス（ＵＳＢ４０）で接続し、電源管理部２３が、カードスロット２１に装着されたカードデバイス３に流れるカード電流Ｉｃを監視して過電流であるか否かを判断すると共に、過電流であると判断した場合には、カードデバイス３に供給される電源に加え、カードコントローラ２２に供給される電源も遮断する（制御電源２０Ｂの供給を遮断する）ようにしたので、電源供給が遮断されたカードデバイス３に対するカードコントローラ２２のアクセス動作を回避することができ、復帰の際に、ＣＰＵ５やＵＳＢホストコントローラ４１を含むＴＶ装置全体の電源を遮断する必要もなくなることから、カード電流Ｉｃが過電流となった場合に、迅速な復帰を実現することができる。また、この復帰動作は、通常の電源投入時の動作と同じ動作によって行うことができるので、異常処理用の特別なソフトウエアを追加する必要もない。
【００４５】
以上、実施の形態を挙げて本発明を説明したが、本発明はこの実施の形態に限定されるものではなく、種々の変形が可能である。例えば、上記実施の形態では、ＴＶ装置のディスプレイをＬＣＤ７から構成した場合で説明したが、この他にも、例えばＣＲＴ（Cathode-Ray Tube）や、ＰＤＰ（Plasma Display Panel）等から構成するようにしてもよい。
【００４６】
また、上記実施の形態では、電子機器がＴＶ装置である場合の例について説明したが、電子機器の構成はこれには限られず、例えばＰＣなどから構成するようにしてもよい。
【図面の簡単な説明】
【００４７】
【図１】本発明の一実施の形態に係る電子機器（ＴＶ装置）の全体構成を表す回路ブロック図である。
【図２】図１に示した電源管理部による電源管理動作を説明するための流れ図である。
【図３】電源管理動作時の電子機器の状態を表す回路ブロック図である。
【図４】電源管理動作時の電子機器の状態を表す回路ブロック図である。
【図５】比較例に係る電源管理動作を説明するための回路ブロック図である。
【符号の説明】
【００４８】
１１…アンテナ、１２…チューナ、１３…ＭＰＥＧデコーダ、１４…ビデオデコーダ、２…カードデバイスユニット、２０Ａ…電源、２０Ｂ…制御電源、２１…カードスロット、２２…カードコントローラ、２３…電源管理部、３…カードデバイス、４０…ＵＳＢ、４１…ＵＳＢホストコントローラ、５…ＣＰＵ、６０…バス、６１…映像処理部、６２…ミキサ、６３…スケーラ、６４…ＬＣＤドライバ、７…ＬＣＤ、Ｉｃ…カード電流。
【図１】
2007094963.tif 000003
【図２】
2007094963.tif 000004
【図３】
2007094963.tif 000005
【図４】
2007094963.tif 000006
【図５】
2007094963.tif 000007